(57)【特許請求の範囲】
【請求項１】
工具を取付けるスピンドルが水路を有していると共に、当該水路に送水する配水管が本体外において延設されており、当該スピンドルから注水可能な注水式電動工具において、
前記本体から下方に、前後下部を有する状態でループ状に突出するループハンドルを備えており、
前記ループハンドルは、半割のハンドルハウジングを有しており、
前記配水管は、前記本体外における延設部分の全体が各前記ハンドルハウジング内に配置されており、
前記工具を覆う集塵カバーの取付部が、前記ハンドルハウジングに設けられている
ことを特徴とする注水式電動工具。
【請求項２】
前記配水管は、前記ループハンドルの前部に配置されている
ことを特徴とする請求項１に記載の注水式電動工具。
【請求項３】
各前記ハンドルハウジングの合わせ面に、組合せるとカバー取付孔となる半孔が形成されており、
当該カバー取付孔に挿入可能な突起が、前記集塵カバーに設けられている
ことを特徴とする請求項１又は請求項２に記載の注水式電動工具。
【請求項４】
前記突起が、互いに交差する方向において複数設けられている
ことを特徴とする請求項３に記載の注水式電動工具。
【発明の詳細な説明】
【技術分野】
【０００１】
本発明は、注水式グラインダや注水式サンダ等の注水式電動工具に関する。
【背景技術】
【０００２】
下記特許文献１に示されるように、加工作業部位に水を供給する注水経路が設けられている注水式の電動ポリッシャーが知られている。即ち、このポリッシャーは、研磨パッドの装着部を有するスピンドルの軸線方向に延在する本体に沿った注水路と、当該注水路に連通するホースから成る注水経路を備えており、研磨パッドの装着部に注水することができる。
【先行技術文献】
【特許文献】
【０００３】
【特許文献１】特開２００５−１６９５８０号公報
【発明の概要】
【発明が解決しようとする課題】
【０００４】
特許文献１の注水式ポリッシャーでは、パッドやその装着部が顕わになっているため、使用時に発生する塵が周囲に放散してしまう。
ここで、パッド装着部の周りに集塵カバーを設置することが考えられる。
しかし、パッド装着部の周りに配置するためには集塵カバーの取付部を本体に対して設ける必要があり、ホースを避けるような取付部や集塵カバーの設計に苦労するし、設計できたとしても集塵カバーの着脱が行い難くなる。
そこで、本発明は、取付がし易い集塵カバーを具備可能であり、塵や水の飛散を防止可能である注水式電動工具を提供することを主な目的とするものである。
【課題を解決するための手段】
【０００５】
上記目的を達成するために、請求項１に記載の発明は、工具を取付けるスピンドルが水路を有していると共に、当該水路に送水する配水管が本体外において延設されており、当該スピンドルから注水可能な注水式電動工具において、前記本体から下方に、前後下部を有する状態でループ状に突出するループハンドルを備えており、前記ループハンドルは、半割のハンドルハウジングを有しており、前記配水管は、前記本体外における延設部分の全体が各前記ハンドルハウジング内に配置されており、前記工具を覆う集塵カバーの取付部が、前記ハンドルハウジングに設けられていることを特徴とするものである。
請求項２に記載の発明は、上記発明において、前記配水管は、前記ループハンドルの前部に配置されていることを特徴とするものである。
請求項３に記載の発明は、上記発明において、各前記ハンドルハウジングの合わせ面に、組合せるとカバー取付孔となる半孔が形成されており、当該カバー取付孔に挿入可能な突起が、前記集塵カバーに設けられていることを特徴とするものである。
請求項４に記載の発明は、上記発明において、前記突起が、互いに交差する方向において複数設けられていることを特徴とするものである。
【発明の効果】
【０００６】
本発明の内、請求項１に記載の発明によれば、集塵カバーの取付部が、電動工具の本体ではなく前記配水管又はそのハウジングに設けられ、配水管の本体外延設部分の全体がハンドルハウジング内に配置されているため、配水管を保護可能であるし、当該取付部を設け易いし、塵や水の飛散を防止する集塵カバーを着脱容易にすることができる。
又、請求項２に記載の発明によれば、配水管がループハンドルの前部に配置されるため、上記効果に加え、電気部品を保護することができ、又配水管の通らないハンドル後半部を確保してハンドルの操作性を向上することができ、更に一層集塵カバーの取付部を設け易くすることができる。
更に、請求項３に記載の発明によれば、半孔を合わせて成るカバー取付孔に挿入可能な突起が集塵カバーに設けられているので、上記効果に加え、更に取付部が設置容易とし、又より簡単確実な着脱を提供することができる。
加えて、請求項４に記載の発明によれば、突起が互いに交差する方向において複数設けられているので、上記効果に加え、集塵カバーをより確実に取付けることができる。
【図面の簡単な説明】
【０００７】
【図１】本発明に係る注水式グラインダの工具取付状態に係る全体斜視図である。
【図２】図１の工具取外し状態に係る前面図である。
【図３】図２のＡ−Ａ線断面を含む側面図である。
【図４】図１におけるハンドルハウジングの（ａ）右側のものの前面図，（ｂ）上面図，（ｃ）左面図，（ｄ）左側のものの前面図である。
【図５】図１における集塵カバーの（ａ）後面図，（ｂ）下面図，（ｃ）一部側面図，（ｄ）（ａ）のＣ−Ｃ線断面図，（ｅ）斜視図である。
【発明を実施するための形態】
【０００８】
以下、本発明の実施の形態を図面に基づいて説明する。
図１は注水式電動工具の一例である注水式グラインダ１の工具取付状態に係る全体斜視図であり、図２は注水式グラインダ１の工具取外し状態に係る前面図であり、図３は図２のＡ−Ａ線断面を含む側面図である。
注水式グラインダ１は、前後方向に沿う本体２と、その下側に形成されたループハンドル４と、本体２の側部から側方に突出するグリップ５を備えている。
ループハンドル４は、本体２の後方下部から下方へ突出させたハンドル後半部６と、ハンドル後半部６の下部から本体２の前部にかけて渡された側面視Ｌ字状のハンドル前半部８を有している。
ループハンドル４は、ハンドル後半部６を後部とし、ハンドル前半部８の前辺を前部とし、その下辺を下部とした状態で、本体２下側からループ状に突出している。
【０００９】
本体２やループハンドル４のハウジングは、次の通りに分かれている。
即ち、本体２とハンドル後半部６は、中間ハウジング１１と後部ハウジング１２で覆われる。
中間ハウジング１１の前側には、これより細径の筒状部分を有する前部ハウジング１３が接続され、その前部外側及びハンドル前半部８は、図４に示す左右のハンドルハウジング１４，１５で挟んで覆われる。
ハンドルハウジング１４，１５は、互いにほぼ対称の形状を呈している半割のものとなっている。
ハンドルハウジング１５は、前部ハウジング１３を受け入れる半円筒状の上側受け部１６を、上端縁において有すると共に、ハンドル後半部６（中間ハウジング１１及び後部ハウジング１２）の下端縁を受け入れる下側受け部１７を、下後端縁において有している。
【００１０】
本体２の内部には、図示しないモータが組み込まれており、その回転軸と接続されたスピンドル２０が、ベアリング２１を介して本体２の前部内に取付けられている。ベアリング２１は、前部ハウジング１３内に設置される。
上記モータは、コード２２からの給電により駆動し、そのスイッチ２３がハンドル後半部６において露出して設けられる。
又、スピンドル２０には、工具（例えば研磨パッド２７）が取付けられ、スピンドル２０の前部には、水路２４が内設されている。水路２４は、スピンドル２０の中間に位置する放射方向の導入路２５と、これに連通しこれより前側に位置する軸方向の案内路２６を含む。
スピンドル２０の案内路２６は、散水用のピン２８を固定するための穴でもあり、ピン２８の内部にも、ピン水路２９が設けられている。
又、スピンドル２０の導入路２５の周囲に接触する孔付きの周囲部材３０が設けられると共に、当該孔に連通する孔３２が、前部ハウジング１３の下部において、ハンドルハウジング１４，１５に覆われた状態で設けられる。
【００１１】
加えて、ハンドル前半部８の内部には、水路２４に水を供給する配水管４０が配置されている。配水管４０の上端には、孔３２に接続されるコネクタ４２が設けられており、配水管４０の下端には、流量を調節するバルブ４４に対するコネクタ４６が設けられている。
又、バルブ４４の反対側（下側）には、水を通すホース（図示せず）の接続部４８が接続されている。接続部４８の下部は、ハンドル前半部８の角部下側から露出している。
【００１２】
そして、スピンドル２０の周囲に配置可能な集塵カバー５０が、配水管４０を収めるハンドル前半部８に取付けられている。
集塵カバー５０は、図５に示すように、半分に縦割りした平底の碗形状の底中央に対し、より小径の半円板を延設して、小径の円孔５１を半円板と同心で開け、更に円孔５１の上半ないしその下方を囲むリブ５２を立設した形状を呈している。尚、リブ５２内方は外方より上げ底となっている。又、集塵カバー５０の碗形状内部（前面）にも、リブ５３，５３・・が、放射状に複数配置されている。
円孔５１は、ハンドルハウジング１４，１５の上側受け部１６，１６の外径と同様の径を有している。
又、円孔５１の下方であってリブ５２の内方には、茸状の突起５４が後方へ突設されており、円孔５１の上側であってリブ５２の下面には、茸状の突起５６が下方へ突設されている。
【００１３】
更に、ハンドル前半部８の前辺中央上部には、突起５４に対応するカバー取付孔６０が開けられており、ハンドル前半部８の上端には、突起５６に対応するカバー取付孔６２が開けられている。
カバー取付孔６０は、ハンドルハウジング１４，１５の前壁（における合わせ面）に設けられた半孔６４，６４がハンドルハウジング１４，１５の組付けにより合わせられて形成され、カバー取付孔６２は、ハンドルハウジング１４，１５の上壁に設けられた半孔６６，６６が合わせられて形成される。
【００１４】
このような注水式グラインダ１は、例えば次のように動作する。
即ち、コード２２を電源に接続してループハンドル４のスイッチ２３を入れると、スピンドル２０が回転し、これに取付けられた研磨パッド２７が回転して、適宜グリップ５も握りながら研磨パッド２７をワークに当てることで研磨を施すことができる。
又、接続部４８に水源からのホースを接続し、バルブ４４をレバー操作により開くと、ループハンドル４内の配水管４０やコネクタ４２ないし前部ハウジング１３下部の孔３２や周囲部材３０を通じて、スピンドル２０の水路２４に水が供給され、ピン水路２９を介して研磨パッド２７やその研磨面に注水される。
【００１５】
更に、研磨パッド２７取付前において、集塵カバー５０をループハンドル４に取付けることができる。即ち、ハンドルハウジング１４，１５の上側受け部１６，１６に対して集塵カバー５０の円孔５１を嵌めてリブ５２の内側を上側受け部１６，１６外面に沿わせ、更にハンドル前半部８の上側のカバー取付孔６２に対し集塵カバー５０の突起５６を下方へ挿入すると共に、ハンドル前半部８の前辺のカバー取付孔６０に対し集塵カバー５０の突起５４を後方へ入れ込む。
集塵カバー５０を取付けると、研磨パッド２７の下半分の周囲が覆われるため、ユーザ側に向かおうとする塵や水を跳ね返してこれらを集塵カバー５０内に集め、塵や水がユーザ側に飛散する事態を防止することができる。又、集塵カバー５０が半碗状で研磨パッド２７の上半分を覆わないため、塵や水のユーザ側へ飛散を防止しながら、集塵カバー５０をコンパクトにすることができるし、研磨状態等工具やワークの様子を視認することができる。
【００１６】
そして、集塵カバー５０が配水管４０を収めるハンドル前半部８に対し取付けられるため、吸排気口やグリップ５等の設けられる本体２に取付ける場合に比べ、それらを避けることを要しない分集塵カバー５０の取付部を設置し易い。又、注水元のスピンドル２０に水を供給するため、スピンドル２０の近くに配水管４０が配置されることから、スピンドル２０ないし研磨パッド２７を覆う集塵カバー５０を着脱し易く構成できる。
又、ハンドル前半部８がループハンドル４の一部となっているため、配水管４０を含むハンドル前半部８につきスイッチ２３を含むハンドル後半部６と独立させることができ、電気部品のない（少ない）箇所にて送水して万一の水漏れに対処することができるし、スイッチ２３等の操作やハンドル後半部６の握りを行い易くすることができるし、集塵カバー５０をより着脱し易くすることができる。
更に、配水管４０を覆うハンドルハウジング１４，１５が設けられるため、配水管４０を保護すると共に、集塵カバー５０の取付部をより設置し易くし、又集塵カバー５０を一層着脱容易にすることができる。
【００１７】
加えて、集塵カバー５０に突起５４，５６を設けると共に配水管４０側にカバー取付孔６０，６２を設け、突起５４，５６をカバー取付孔６０，６２に入れることで集塵カバー５０を装着するので、取付機構をシンプルで設け易いものとしながら、簡単確実に取付可能にすることができ、カバー取付孔６０，６２はハンドルハウジング１４，１５の各半孔６４，６６が合わさって成るため、更に取付機構が設置容易で簡単確実な着脱を提供することができる。
又、突起５４，５６が複数有り、それらは互いに交差する方向を向いているため、集塵カバー５０が装着時に様々な方向から外力を受けても、少なくとも何れかの突起で抗することができ、より確実な取付を提供することができる。
【００１８】
なお、本発明は、上記形態に限定されるものではない。例えば、上記形態は、次のようにそれぞれ変更することができる。ハンドルハウジングを設けず配水管を露出させ、あるいはループハンドルの前辺・下辺・後辺のそれぞれについて別のハウジングとしたり、あるいは共通のハウジングとしたり、中間ハウジングと後部ハウジングを共通化したり、これらを半割のものとしたりする等、ハウジングの構成を適宜変更する。ループハンドルの形態につき、オーバル状としたり、曲線を含んで構成したものとしたりする。集塵カバーの形態につき、碗状としたり、各種リブや突起を省略しあるいは増減したりする等、適宜変更する。又、電池駆動のものや、注水式サンダ等、他の種類の注水式電動工具に適用する。
【符号の説明】
【００１９】
１・・注水式グラインダ、４・・ループハンドル、６・・ハンドル後半部、８・・ハンドル前半部、１４，１５・・ハンドルハウジング、１６・・上側受け部、２７・・研磨パッド（工具）、４０・・配水管、５０・・集塵カバー、５１・・円孔、５４，５６・・突起、６０，６２・・カバー取付孔（集塵カバーの取付部）、６４，６６・・半孔。
【図１】
0005854870.tif 000002
【図２】
0005854870.tif 000003
【図３】
0005854870.tif 000004
【図４】
0005854870.tif 000005
【図５】
0005854870.tif 000006